(57)【特許請求の範囲】
【請求項１】
複数の携帯品にそれぞれ取付けられて、予め決められた周波数の電波と識別情報とを含んだ信号を送信する複数の発信装置と、これらの発信装置から送信される信号を受信して、受信した信号に含まれる前記識別情報に基づいて各発信装置を識別すると共に、これらの信号の信号レベルに基づいて自装置から各発信装置までの距離を算出し、その距離に基づいて警報を発する受信装置と、で構成される忘れ物防止セットであって、
前記受信装置は、警告音を鳴動するスピーカーと、各発信装置にそれぞれ対応する警告ランプと、前記各携帯品の名前を表示する表示部とを備え、
前記受信装置は、自装置からの距離が警告音鳴動範囲の下限値未満にある発信装置に関して、前記警報を発する動作を行わず、
自装置からの距離が前記警告音鳴動範囲内にある発信装置に関して、前記スピーカーからの警告音の鳴動及びその発信装置に対応する警告ランプの点灯により前記警報を発すると共に、前記表示部に前記警告音鳴動範囲内にある旨の内容を表示させ、
自装置からの距離が前記警告音鳴動範囲を越えて更に離れた発信装置に関して、前記警告音を停止させると共に、その発信装置に対応する警告ランプを点滅させ、前記表示部に前記警告音鳴動範囲を越えた旨の内容を表示させることにより継続して警報を発することを特徴とする忘れ物防止セット。
【請求項２】
前記表示部は、前記各携帯品の位置情報を表示することを特徴とする請求項１記載の忘れ物防止セット。
【請求項３】
前記受信装置は、振動発生装置を備え、
マナーモードが設定されている場合には、自装置からの距離が前記警告音鳴動範囲内にある発信装置に関して、前記スピーカーからの警告音の鳴動に代えて、前記振動発生装置を振動させることを特徴とする請求項１又は２記載の忘れ物防止セット。
【発明の詳細な説明】
【０００１】
【発明の属する技術分野】
本発明は、携帯品に取付けられる発信装置及びユーザーが所持する受信装置からなる忘れ物防止セットに関し、詳しくは発信装置及び受信装置が所定の距離を越えて離れた場合、受信装置が警報を発する忘れ物防止セットに関する。
【０００２】
【従来の技術】
従来、携帯品の紛失或いは盗難を防止する目的で、図７に示すように、所定の周波数の電波５３を送信する送受信機５１と、携帯品に取付けられ前記電波５３を受信した際に該電波５３のエネルギーを電源として利用し、前記電波５３の所定の周波数とは異なる周波数の反射電波５４を送受信機５１に対して送信する電波反射器５２と、で構成される忘れ物防止システム５０がある。この忘れ物防止システム５０は、前記送受信機５１と前記電波反射器５２の距離が離れることにより電波反射器５２が受信する前記電波５３が弱くなり、それにより電波反射器５２から前記送受信機５１に送信される反射電波５４が弱くなるか或いは送受信機５１に届かなくなった場合、すなわち、ユーザーが所持している送受信機５１が、携帯品に取付けられている電波反射器５２から反射電波５４を受信できなくなる距離まで離れた場合、送受信機５１の備える図外の警報機がブザー音を鳴動させることにより、ユーザーの携帯品の置き忘れを防止するものである（例えば、特許文献１参照。）。
【０００３】
【特許文献１】
特開２０００−１８７７８７号公報（第３−４頁、第１図）
【０００４】
【発明が解決しようとする課題】
ところが、このような忘れ物防止システム５０では一旦警報機が鳴り出した後、送受信機５１を所持しているユーザーが、電波反射器５２が取付けられている携帯品から更に離れてしまった場合、ブザー音が鳴り続けることになり、ブザー音により携帯品が離れた場所にあることはわかっても、電波反射器５２が取付けられた携帯品までの距離が近いのか否かを判断することはできなかった。
【０００５】
また、送受信機５１が携帯品に取付けられた電波反射器５２から反射電波５４を受信できなくなるまで離れたことを警告するブザー音は、ユーザーの所持している送受信機５１が、反射電波５４を受信できる距離まで電波反射器５２に近づくまで鳴り続けるため、ブザー音により携帯品が離れた場所にあることをユーザーが認識した上で更にその携帯品から離れた場合、必要以上のブザー音が鳴動されることになり、無駄な電力を消費するだけでなく、場合によってはユーザーに不快感を与える。
【０００６】
本発明は、上記課題に鑑みてなされたものであって、本発明の目的は、受信装置と発信装置が警告音鳴動範囲を越えて更に離れた場合、鳴動させていた警告音を停止させ、警告ランプの点滅や表示部への表示によって警報を発する忘れ物防止セットを提供することである。
【０００７】
【課題を解決するための手段】
上記目的を達成するために、請求項１記載の忘れ物防止セットは、複数の携帯品にそれぞれ取付けられて、予め決められた周波数の電波と識別情報とを含んだ信号を送信する複数の発信装置と、これらの発信装置から送信される信号を受信して、受信した信号に含まれる前記識別情報に基づいて各発信装置を識別すると共に、これらの信号の信号レベルに基づいて自装置から各発信装置までの距離を算出し、その距離に基づいて警報を発する受信装置と、で構成される忘れ物防止セットであって、前記受信装置が、警告音を鳴動するスピーカーと、各発信装置にそれぞれ対応する警告ランプと、前記各携帯品の名前を表示する表示部とを備え、前記受信装置が、自装置からの距離が警告音鳴動範囲の下限値未満にある発信装置に関して、前記警報を発する動作を行わず、自装置からの距離が前記警告音鳴動範囲内にある発信装置に関して、前記スピーカーからの警告音の鳴動及びその発信装置に対応する警告ランプの点灯により前記警報を発すると共に、前記表示部に前記警告音鳴動範囲内にある旨の内容を表示させ、自装置からの距離が前記警告音鳴動範囲を越えて更に離れた発信装置に関して、前記警告音を停止させると共に、その発信装置に対応する警告ランプを点滅させ、前記表示部に前記警告音鳴動範囲を越えた旨の内容を表示させることにより継続して警報を発することを特徴としている。
【０００８】
請求項２記載の忘れ物防止セットは、前記表示部が、前記各携帯品の位置情報を表示することを特徴としている。
【０００９】
請求項３記載の忘れ物防止セットは、前記受信装置が、振動発生装置を備え、マナーモードが設定されている場合には、自装置からの距離が前記警告音鳴動範囲内にある発信装置に関して、前記スピーカーからの警告音の鳴動に代えて、前記振動発生装置を振動させることを特徴としている。
【００１０】
【発明の実施の形態】
以下、本発明の実施の形態に係る忘れ物防止セットについて図面に基づいて説明する。図１に示すように、忘れ物防止セット１は、複数の携帯品にそれぞれ取付けられる発信装置２ａ乃至２ｅ及び該発信装置２ａ乃至２ｅから送信される信号４ａ乃至４ｅを受信する受信装置３によって構成され、前記受信装置３は信号４ａ乃至４ｅの信号レベルに基づいて受信装置３から各発信装置２ａ乃至２ｅまでの距離を算出し、その距離が予め設定された警告音鳴動範囲αｍ以上βｍ未満であると判断した場合、スピーカー１６に警告音を鳴動させ、各発信装置２に対応した警告ランプ１７を点灯させることにより警報を発するものである。
【００１１】
前記発信装置２ａ乃至２ｅは、前記受信装置３との間で予め決められた周波数の電波と、前記受信装置３が各発信装置２ａ乃至２ｅを識別するための識別情報とを含んだ信号４ａ乃至４ｅをそれぞれ一定の周期で受信装置３に対して送信する。なお、本発明の実施の形態では、忘れ物防止セット１は５つの発信装置２とそれらを監視する１つの受信装置３で構成されているが、前記発信装置２の装置数はこれに限らず、前記受信装置３が監視可能な範囲内であれば、忘れ物を防止する携帯品の数によって種々変更することが可能である。
【００１２】
前記受信装置３は、前記発信装置２ａ乃至２ｅから送信された前記信号４ａ乃至４ｅのそれぞれの信号レベルに基づいて受信装置３からそれぞれの発信装置２ａ乃至２ｅまでの距離を算出し、図２に示すようにその距離がユーザーによって予め設定されたαｍ未満である場合、すなわち、ここでは発信装置２ａ及び２ｂが取付けられた携帯品についてはユーザーの手元にあり紛失する可能性はないと判断し、警告は行わず一定の周期で送られてくる信号４ａ及び４ｂに基づいて発信装置２ａ及び２ｂまでの距離の監視を継続して行う。
【００１３】
そして、受信装置３から警告音鳴動範囲αｍ以上βｍ未満離れた距離にある発信装置２ｃに関しては、受信装置３はスピーカー１６から警告音を鳴動させると共に警告ランプ１７ｃを点灯させるなどして、ユーザーが所持している受信装置３が、携帯品に取付けられた発信装置２ｃから離れたことを通知する。なお、この距離αｍ及びβｍは、受信装置３が発信装置２からの信号４を受信できる範囲内で操作部１３からユーザーが任意に設定することができ、各発信装置２ごとにそれぞれ異なる距離αｍ及びβｍを設定できるように構成してもよい。
【００１４】
また、ユーザーの移動等により受信装置３と発信装置２とが警告音鳴動範囲を越えて更に離れた場合、すなわち、受信装置３からの距離がβｍ以上である発信装置２ｄ及び２ｅに関して、必要以上の警告音の鳴動を避けるために、スピーカー１６からの警告音を停止させると共に、各発信装置２に対応した警告ランプ１７、この場合警告ランプ１７ｄ及び１７ｅを点滅させ表示部１５にその旨を表示させることによって引き続き警告を行う。
【００１５】
上記の通り動作する前記受信装置３は、図１に示した箱型のものに限らず、鞄等に入れて持ち運べる形状のものの他、図３の（ａ）に示すようなボールペンや、同図（ｂ）に示すようなバッジ等の装身具に内蔵されたものなど、ユーザーが受信装置３の警報に気付きやすいように衣類等に直接取付け或いは収納可能な形状のものがよく、この場合、受信装置３が鞄等に入っていたために警報に気付かないということはない。
【００１６】
一方、忘れ物を防止したい携帯品、例えば、財布、携帯電話、名刺入れ等に取付けられる発信装置２は、携帯品にマジックテープ（Ｒ）やクリップ等で固定可能なもの、粘着性面を有しシール状に形成された携帯品に貼付け可能なもの、携帯品内部に収納可能なもの等、種々の取付方法のものが考えられるが、携帯品外部に固定或いは貼付け等の方法で取付けられる場合、各携帯品の美観を損ねることがないよう、その表面に例えばキャラクターなどをロゴ印刷しておくとよい。
【００１７】
以下、忘れ物防止セット１を構成する前記発信装置２及び前記受信装置３の内部構成の一例を示す。図４に示すように、前記忘れ物防止セット１は携帯品に取付けられて一定の周期で信号４を送信する発信装置２と、受信した前記信号４に基づいて発信装置２までの距離を算出し、その距離に基づいて発信装置２を監視する受信装置３によって構成されている。
【００１８】
前記発信装置２は、ＣＰＵ（中央処理装置）５、ＲＯＭ（リードオンリーメモリ）６、ＲＡＭ（ランダムアクセスメモリ）７及び無線ユニット８を備えている。
【００１９】
前記ＣＰＵ５は、所定のプログラムに従ってこの発信装置２を構成する各部を制御し、前記ＲＯＭ６は、ＣＰＵ５によりこの発信装置２の各部の動作が制御されるための各種プログラムを記憶し、前記ＲＡＭ７は、前記発信装置２が取付けられる携帯品の名前などに関する情報を記憶する記憶部として機能する。
【００２０】
前記無線ユニット８は、各発信装置２ごとに予め設定された周波数の電波及び受信装置３が各発信装置２を識別するための識別情報を含んだ前記信号４を前記受信装置３に対して一定の周期で送信する。
【００２１】
一方、前記受信装置３は、ＣＰＵ１０、ＲＯＭ１１、ＲＡＭ１２、操作部１３、無線ユニット１４、表示部１５、スピーカー１６、警告ランプ１７及び振動発生装置１８を備えている。
【００２２】
前記ＣＰＵ１０は、所定のプログラムに従って、この受信装置３を構成する各部を制御し、前記ＲＯＭ１１は、ＣＰＵ１０によりこの受信装置３の各部の動作が制御されるための各種プログラムを記憶している。
【００２３】
前記ＲＡＭ１２は、前記受信装置３が警告音などの警報を発する警告音鳴動範囲αｍ以上βｍ未満の設定、例えば、２ｍ以上３ｍ未満や、各発信装置２が取付けられている携帯品の名前等を記憶する記憶部として、また、各発信装置２から送信された信号４の信号レベルから算出された各発信装置２までの距離などの情報を一時的に記憶するための記憶部として機能する。
【００２４】
前記操作部１３は、前記受信装置３が警報を発する警告音鳴動範囲のα及びβの値や各携帯品の名前を入力するためのテンキー、表示部１５内の反転表示の移動などを行うための矢印キー等を具備し、この忘れ物防止セット１が警告音を鳴動する警告音鳴動範囲、スピーカー１６の代わりに振動発生装置１８によって警告を行うマナーモード等の各種設定はこの操作部１３から行われる。
【００２５】
前記無線ユニット１４は、各送信装置２からの信号４を受信し、前記表示部１５は、前記発信装置２が取付けられている携帯品の名前、その携帯品の位置情報、発信装置２から送信された信号４の信号レベル等が表示される。
【００２６】
前記スピーカー１６は、前記ＣＰＵ１０からの制御命令に従って警告音を鳴動させ、前記警告ランプ１７は、前記発信装置２までの距離情報に基づいて消灯、点灯、点滅の各動作を行い、振動発生装置１８は、前記操作部１３からの設定に基づいてスピーカー１６と共に動作したり、また、スピーカー１６の代わりに受信装置３を振動させることによって警告を発する。
【００２７】
以下、発信装置２と受信装置３の間で行われる信号４の送受信及び受信装置３による発信装置２までの距離の監視について図５のフローチャートに基づいて説明する。
【００２８】
まず、各発信装置２及び受信装置３の電源を入れると、発信装置２は所定の周波数の電波と共に、各発信装置２に固有の識別情報を含んだ信号４を受信装置３に対して送信する（Ｓ１）。これに対し、受信装置３は発信装置２から送信された信号４を受信すると共にその信号４の信号レベルに基づいて各発信装置２までの距離を算出し、その距離が予め操作部１３から設定されたαｍ未満であるか否かを判断し（Ｓ２）、αｍ未満であれば、前記受信装置３は、警報を発する動作は行わず前記Ｓ１及びＳ２の動作を繰り返し行って発信装置２から一定の周期で送られてくる信号４から発信装置２までの距離を算出し、その距離に基づいて発信装置２を監視する。
【００２９】
一方、前記Ｓ２において前記受信装置３は、発信装置２との距離がαｍ未満ではない、すなわち受信装置３に対して発信装置２が警告音鳴動範囲まで離れたと判断した場合、スピーカー１６に警告音を鳴動させると共に警告ランプ１７を点灯させ、その旨を前記表示部１５に表示させることにより、受信装置３が携帯品に取付けられた発信装置２から離れたことを通知するための警報を発する（Ｓ３）。なお、ユーザーによって予めマナーモードに設定されている場合には、警告音は鳴動させず振動発生装置１８による振動によって警告を行う。
【００３０】
続いて、受信装置３は発信装置２がαｍ未満或いはβｍ以上であるか否かを判断し（Ｓ４）、その距離がαｍ未満或いはβｍ以上ではないと判断した場合、前記発信装置２は警告音鳴動範囲内に位置したままであるため、Ｓ３の動作を繰り返し行う。
【００３１】
一方、その距離がαｍ未満又はβｍ以上である場合、前記受信装置３はその距離がαｍ未満なのかβｍ以上なのかを判断し（Ｓ５）、αｍ未満の場合にはスピーカー１６や警告ランプ１７による警報を停止させる（Ｓ６）。その後は、再びＳ１からの動作を繰り返し行い、発信装置２を監視する。
【００３２】
また、前記Ｓ５において、受信装置３と発信装置２との距離がαｍ未満ではないと判断した場合、受信装置３と発信装置２との距離はβｍ以上であり、この場合、スピーカー１６から鳴動させていた警告音を停止させた後（Ｓ７）、警告音鳴動範囲内に発信装置２が位置していた際に点灯させていた警告ランプ１７を点滅させたり、表示部１５に警告音鳴動範囲を越えた旨の内容を表示させる等、警告音の鳴動以外の方法で引き続き警報を発する（Ｓ８）。
【００３３】
その後、受信装置３は前記Ｓ４の判断を再度行い、警報に基づくユーザーの移動等により発信装置２が警告音鳴動範囲αｍ以上βｍ未満の範囲内に入った場合、Ｓ３の動作により再び警告音を鳴動させ警報ランプ１７点滅から点灯へと変化させる。その後、発信装置２が受信装置３からαｍ以内に入った場合、Ｓ６へと進み、警報を停止させると共に発信装置２までの距離の監視を継続して行う。
【００３４】
以上説明したように、本発明の忘れ物防止セット１によれば、受信装置３と発信装置２とがユーザーが予め設定した警告音鳴動範囲αｍ以上βｍ未満の距離まで離れた場合、スピーカー１６により警告音を鳴動させ、警告ランプ１７の点灯、またユーザーによって設定されている場合には振動発生装置１８によって受信装置３を振動させる等の方法により警告を行い、受信装置３が距離βｍを越えて発信装置２から離れた場合は、警告音の鳴動は行わず、警告ランプ１７の点滅、表示部１５へのその内容の表示によってその旨を通知するので、ユーザーが警告を認識した上で携帯品から更に離れた場合、必要以上の警告音の鳴動を行わず携帯品からβｍ以上離れていることを警告音以外の方法で通知することができる。
【００３５】
また、受信装置３がボールペン、バッジ等に内蔵された形状のものである場合、受信装置３を衣類等に容易に取付けることができるので、ユーザーは受信装置３の警報に気付かないということを防止することができる。一方、発信装置２がシール状に形成されその表面にキャラクター等がロゴ印刷されている場合、発信装置２を種々の携帯品に貼付けることが可能であると共に、発信装置２を貼付けたことによって携帯品の美観を損ねることはなく、例えば、図６に示すようにシール状に形成されその表面にキャラクター等がロゴ印刷された発信装置２ａ乃至２ｅと受信装置３で構成される忘れ物防止セット１を、箱２０に入れて販売するようにしてもよい。
【００３６】
【発明の効果】
請求項１記載の忘れ物防止セットによれば、発信装置と受信装置が警告音鳴動範囲まで離れた場合、受信装置は警告音の鳴動等の警報を発すると共に、警告音鳴動範囲を越えて更に離れた場合、警告音の鳴動は行わず、警告音以外の方法で警報を発するため、ユーザーは携帯品から更に離れたことを知ることができると共に、必要以上の警告音の鳴動を避けることができるという利点がある。
【図面の簡単な説明】
【図１】  本発明の実施の形態に係る忘れ物防止セットの概略図である。
【図２】  受信装置の警告出力範囲について説明するための図である。
【図３】  受信装置の一例を示した図である。
【図４】  発信装置及び受信装置の内部構成の一例を示したブロック図である。
【図５】  受信装置が携帯品に取付けられた発信装置を監視する動作を示したフローチャートである。
【図６】  販売用の忘れ物防止セットを示した概略図である。
【図７】  従来の忘れ物防止システムを説明するための概略図である。
【符号の説明】
１  忘れ物防止セット
２  送信装置
３  受信装置
４  信号
８、１４  無線ユニット
１５  表示部
１６  スピーカー
１７  警報ランプ
１８  振動発生装置
【図１】
0003785502.tif 000002
【図２】
0003785502.tif 000003
【図３】
0003785502.tif 000004
【図４】
0003785502.tif 000005
【図５】
0003785502.tif 000006
【図６】
0003785502.tif 000007
【図７】
0003785502.tif 000008